(57)【特許請求の範囲】
【請求項１】
電力を電子装置の閉鎖式受信コイルへ伝送させるために用いられるワイヤレス充電伝送装置であって、
回路基板と、
前記回路基板上に設けられ、前記回路基板が発生させる熱エネルギーを解放するために用いられる放熱板と、
前記放熱板に設けられると共に前記回路基板に接続され、前記回路基板を通過する電流に応じて電磁効果を発生させるために用いられ、前記電磁効果に応じて発生される前記電力が伝送される閉鎖式伝送コイルと、
前記回路基板、前記放熱板及び前記閉鎖式伝送コイルを被覆すると共に直方体を形成するために用いられる封止層とを含み、
ここでは、前記放熱板の一部は前記封止層の外に露呈することを特徴とする、ワイヤレス充電伝送装置。
【請求項２】
さらに第１端が前記回路基板に接続される電源コードを含み、前記電源コードは前記封止層を貫通し、前記電源コードの第２端が電源に接続されるようにし、前記電源からくる前記電流を前記閉鎖式伝送コイルに伝送することを特徴とする、請求項１に記載のワイヤレス充電伝送装置。
【請求項３】
前記電源コードは前記封止層を貫通すると共に前記封止層の下層や側表面に垂直であることを特徴とする、請求項２に記載のワイヤレス充電伝送装置。
【請求項４】
前記封止層は熱硬化性樹脂（Thermosetting  Resin）によって製造され、前記熱硬化性樹脂は、前記回路基板、前記放熱板及び前記閉鎖式伝送コイルの間の隙間を満たすことを特徴とする、請求項１に記載のワイヤレス充電伝送装置。
【請求項５】
前記放熱板は、
前記回路基板上に設けられる本体と、
前記本体から延長形成される少なくとも１つの延伸部とを含み、
前記少なくとも１つの延伸部は前記回路基板の外に伸び出し、前記少なくとも１つの延伸部の先端表面を前記ケース体の側表面の外に露呈させることを特徴とする、請求項１に記載のワイヤレス充電伝送装置。
【請求項６】
前記本体及び前記少なくとも１つの延伸部は前記放熱板と一体形成されることを特徴とする、請求項５に記載のワイヤレス充電伝送装置。
【請求項７】
前記閉鎖式伝送コイルは粘着剤によって前記放熱板上に設けられ、前記放熱板は別の粘着剤によって前記回路基板上に設けられることを特徴とする、請求項１に記載のワイヤレス充電伝送装置。
【請求項８】
前記電子装置はさらに、
前記閉鎖式受信コイルをその中に収納させるために用いられる電子装置ケース体と、
前記電子装置ケース体内に設けられると共に、前記閉鎖式受信コイルに接続され、前記閉鎖式受信コイルからくる前記電力を保存するために用いられる充電電池とを含み、
前記電子装置ケースが前記封止層に近づく時や前記封止層と接触する時、前記電子装置ケース内に位置する前記閉鎖式受信コイルは前記閉鎖式伝送コイルからくる前記電力を受信することを特徴とする、請求項１に記載のワイヤレス充電伝送装置。
【請求項９】
前記電子装置はさらに
電子装置ケースと、
前記電子装置ケース体に被せられ、前記閉鎖式受信コイルを内に設け、前記電子装置ケースを保護するために用いられる保護カバーと、
前記電子装置ケース内に設けられると共に前記保護カバーによって前記閉鎖式受信コイルに接続され、前記閉鎖式受信コイルからくる前記電力を保存するために用いられる充電電池とを含み、
ここでは、前記保護ケースが前記封止層と近づく時や前記封止層と接触する時、前記保護カバー内に位置する前記閉鎖式受信コイルは前記閉鎖式伝送コイルからくる前記電力を受信することを特徴とする、請求項１に記載のワイヤレス充電伝送装置。
【請求項１０】
さらに前記封止層を固定させるために用いられる固定構造を含み、前記固定構造は前記封止層をその中に収容させるために用いられる収納溝を有し、
ここでは、前記封止層が前記収納溝内に収納される時、前記封止層の側表面と前記収納溝の内表面は接触し、前記封止層は前記収納溝内に固定されることを特徴とする、請求項１に記載のワイヤレス充電伝送装置。
【発明の詳細な説明】
【技術分野】
【０００１】
本発明は、充電伝送装置に関し、より詳しくは、ワイヤレス充電技術を利用したワイヤレス充電伝送装置に関する。
【背景技術】
【０００２】
各種電子装置は電源供給に接続して電力を獲得する必要があり、一般的に言えば、電子装置はどれも電源コードを利用して、電源（たとえば、電源ソケット）に挿入し、電力を獲得する。科学技術の発展に伴い、各種電子装置はユーザーのニーズに応じて軽量・薄型化しており、携帯に便利である。この電子装置に携帯性を有するという特性を具えさせるため、電子装置はいつでも電源コードに頼り電力を獲得することができず、したがって、電子装置内には電池を設ける必要があり、これにより電力を電子装置に提供し、前記電池は充電電池である。
【０００３】
電子装置内の充電電池の電力量が不足するとき、ユーザーは充電装置を使用して電子装置の充電電池に対して充電を行う。周知の充電伝送装置は接続コードを有し、ユーザーは前記接続コードを電子装置に挿入し、周知の充電伝送装置を電源に挿入し、周知の充電伝送装置は接続コードによって電源の電力が電子装置中に伝送されるようにさせる。しかしながら、周知の充電伝送装置は長時間の反復充電を経て、その接続コードを電子装置に挿入するコネクターは反復的な抜き差しの動作によって容易に消耗してしまい、その接続コードの充電効率の低下が引き起こされ、コネクターの消耗が深刻な場合、その接続コードは充電することができない。
【０００４】
この接続コードの有線充電方式によってもたらされる困難を鑑みて、この充電技術は日増しに進歩しており、現在すでにワイヤレス充電（Wireless  Charging）を行えるワイヤレス充電伝送装置が開発され、市場に出ている。図１を参照すると、これは周知のワイヤレス充電伝送装置の分解構造概略図である。周知のワイヤレス充電伝送装置１はケース１０、電源コード１１、回路基板１２及び閉鎖式伝送コイル１３を含む。周知のワイヤレス充電伝送装置１では、電源コード１１はケース１０の外に露呈し、電源（図中では未表示）に接続され、前記電源は電源ソケットである。回路基板１２はケース１０の内部に設けられると共に電源コード１１に接続され、電源からくる電流を電源コード１１によって回路基板１２に伝送させる。閉鎖式伝送コイル１３は回路基板１２上に設けられ、電源からくる電流を電源コード１１と回路基板１２によって閉鎖式伝送コイル１３を通過するようにさせ、電磁効果を発生させ、閉鎖式伝送コイル１３が電磁効果によって発生させる磁束に応じて対応する電力を出力する。
【０００５】
図２は周知のワイヤレス充電伝送装置とポータブル式電子装置の構造概略図である。周知の電子装置２は電子装置ケース２０、閉鎖式受信コイル２１及び充電電池（図中では未表示）を含む。周知の電子装置２では、閉鎖式受信コイル２１は電子装置ケース２０内に設けられ、閉鎖式伝送コイル１３からくる電力を受信し、充電電池は閉鎖式受信コイル２１に接続され、これは閉鎖式受信コイル２１によって受信される前記電力を保存し、使用するために用いられる。
【０００６】
周知の電子装置２の電力装置ケース２０と周知のワイヤレス充電伝送装置１のケース１０が接触するとき、閉鎖式伝送コイル１３は電力を出力し、且つ、閉鎖式受信コイル２１は閉鎖式伝送コイル１３に近づいて前記電力を受信し、前記電力を充電電池に伝送させ、ワイヤレス充電を行う。周知のワイヤレス充電伝送装置１は電力を周知の電子装置２に伝送させる過程で、ユーザーはわざわざ周知の電子装置２内部の閉鎖式受信コイル２１を周知のワイヤレス充電伝送装置１の閉鎖式伝送コイル１３に近づけさせる必要があり、閉鎖式伝送コイル１３が閉鎖式受信コイル２１に対して照準が合っているときにだけ、閉鎖式受信コイル２１はこの電力を受信することができる。上述が周知のワイヤレス充電伝送装置１の構造と運用状況である。
【発明の概要】
【発明が解決しようとする課題】
【０００７】
しかしながら、前述した従来の技術では、図１からわかるように、周知のワイヤレス充電伝送装置１のケース１０はプラスチック材料によって製造され、前記ケース１０はそれぞれ上蓋１０１と台座１０２であり、このケース１０は上蓋１０１によって台座１０２上を被覆し、蓋をする。上蓋１０１と台座１０２の間は粘着剤やその他固定構造を利用して前記両者の間の結合を強化するが、上蓋１０１と台座１０２の間にはやはり細かい隙間が存在し、ほこりや外から来る液体は前期隙間を通してケース１０内部に入り、その内部の電子部材がほこりや外から来る液体によって正常に作動できないといったことが引き起こされる。したがって、防塵機能と防水機能を有するワイヤレス充電伝送装置が必要とされている。
【０００８】
そこで、本発明者は上記の欠点が改善可能と考え、鋭意検討を重ねた結果、合理的設計で上記の課題を効果的に改善する本考案の提案に到った。
【０００９】
本発明は、このような従来の問題に鑑みてなされたものである。上記課題解決のため、本発明は、防塵機能と防水機能を有するワイヤレス充電伝送装置を提供することを主目的とする。
【課題を解決するための手段】
【００１０】
上述した課題を解決し、目的を達成するために、好ましい実施例では、本発明に係るワイヤレス充電伝送装置は電力を電子装置の閉鎖式受信コイルへ伝送させるために用いられ、
回路基板と、
前記回路基板上に設けられ、前記回路基板が発生させる熱エネルギーを解放するために用いられる放熱板と、
前記放熱板に設けられると共に前記回路基板に接続され、前記回路基板を通過する電流に応じて電磁効果を発生させるために用いられ、前記電磁効果に応じて発生される前記電力が伝送される閉鎖式伝送コイルと、
前記回路基板、前記放熱板及び前記閉鎖式伝送コイルを被覆すると共に直方体を形成するために用いられる封止層とを含み、
ここでは、前記放熱板の一部は前記封止層の外に露呈することを特徴とするワイヤレス充電伝送装置。
【００１１】
好ましい実施形態では、さらに第１端が前記回路基板に接続される電源コードを含み、前記電源コードは前記封止層を貫通し、前記電源コードの第２端が電源に接続されるようにし、前記電源からくる前記電流を前記閉鎖式伝送コイルに伝送することを特徴とするワイヤレス充電伝送装置。
【００１２】
好ましい実施形態では、前記電源コードは前記封止層を貫通すると共に前記封止層の下層や側表面に垂直であることを特徴とするワイヤレス充電伝送装置。
【００１３】
好ましい実施形態では、前記封止層は熱硬化性樹脂（Thermosetting  Resin）によって製造されることを特徴とするワイヤレス充電伝送装置。
【００１４】
好ましい実施形態では、前記放熱板は
前記回路基板上に設けられる本体と、
前記本体から延長形成される少なくとも１つの延伸部とを含み、
前記少なくとも１つの延伸部は前記回路基板の外に伸び出し、前記少なくとも１つの延伸部の先端表面を前記ケース体の側表面の外に露呈させることを特徴とするワイヤレス充電伝送装置。
【００１５】
好ましい実施形態では、前記本体及び前記少なくとも１つの延伸部は前記放熱板と一体形成されることを特徴とするワイヤレス充電伝送装置。
【００１６】
好ましい実施形態では、前記閉鎖式伝送コイルは粘着剤によって前記放熱板上に設けられ、前記放熱板は別の粘着剤によって前記回路基板上に設けられることを特徴とするワイヤレス充電伝送装置。
【００１７】
好ましい実施形態では、前記電子装置はさらに、
前記閉鎖式受信コイルをその中に収納させるために用いられる電子装置ケース体と、
前記電子装置ケース体内に設けられると共に、前記閉鎖式受信コイルに接続され、前記閉鎖式受信コイルからくる前記電力を保存するために用いられる充電電池とを含み、
前記電子装置ケースが前記封止層に近づく時や前記封止層と接触する時、前記電子装置ケース内に位置する前記閉鎖式受信コイルは前記閉鎖式伝送コイルからくる前記電力を受信することを特徴とするワイヤレス充電伝送装置。
【００１８】
好ましい実施形態では、前記電子装置はさらに
電子装置ケースと、
前記電子装置ケース体に被せられ、前記閉鎖式受信コイルを内に設け、前記電子装置ケースを保護するために用いられる保護カバーと、
前記電子装置ケース内に設けられると共に前記保護カバーによって前記閉鎖式受信コイルに接続され、前記閉鎖式受信コイルからくる前記電力を保存するために用いられる充電電池とを含み、
ここでは、前記保護ケースが前記封止層と近づく時や前記封止層と接触する時、前記保護カバー内に位置する前記閉鎖式受信コイルは前記閉鎖式伝送コイルからくる前記電力を受信することを特徴とするワイヤレス充電伝送装置。
【００１９】
好ましい実施形態では、さらに前記封止層を固定させるために用いられる固定構造を含み、前記固定構造は前記封止層をその中に収容させるために用いられる収納溝を有し、ここでは、前記封止層が前記収納溝内に収納される時、前記封止層の側表面と前記収納溝の内表面は接触し、前記封止層は前記収納溝内に固定されることを特徴とするワイヤレス充電伝送装置。
【００２０】
本発明によれば、防塵機能と防水機能を有するワイヤレス充電伝送装置が得られる。
【図面の簡単な説明】
【００２１】
【図１】周知のワイヤレス充電伝送装置による分解構造概略図である。
【図２】周知のワイヤレス充電伝送装置とポータブル式電子装置による構造概略図である。
【図３】本発明のワイヤレス充電伝送装置と電子装置の好ましい実施形態に係わる外観構造概略図である。
【図４】本発明のワイヤレス充電伝送装置の好ましい実施形態に係わる構造分解概略図である。
【図５Ａ】本発明のワイヤレス充電伝送装置を好ましい実施形態において組み立てる過程を示す構造概略図である。
【図５Ｂ】本発明のワイヤレス充電伝送装置を好ましい実施形態において組み立てる過程を示す構造概略図である。
【図５Ｃ】本発明のワイヤレス充電伝送装置を好ましい実施形態において組み立てる過程を示す構造概略図である。
【図６】本発明のワイヤレス充電伝送装置と固定構造の好ましい実施形態に係わる外観構造概略図である。
【図７】本発明のワイヤレス充電伝送装置と固定構造の別の好ましい実施形態に係わる外観構造概略図である。
【発明を実施するための形態】
【００２２】
以下に図面を参照して本発明を実施するための形態について、詳細に説明する。なお、本発明は、以下に説明する実施形態に限定されるものではない。
［第１実施形態］
まず、本発明のワイヤレス充電伝送装置の第１実施形態について説明する。
【００２３】
本発明の第１実施形態の構成を図３から図４に示す。図３は本発明のワイヤレス充電伝送装置と電子装置の好ましい実施形態に係わる外観構造概略図であり、図４は本発明のワイヤレス充電伝送装置の好ましい実施形態に係わる構造分解概略図である。ワイヤレス充電伝送装置３は回路基板３０、放熱板３１、閉鎖式伝送コイル３２、封止層３３及び電源コード３４を含み、電子装置４は電子装置ケース４０、閉鎖式受信コイル４１及び充電電池を含む。ワイヤレス充電伝送装置３は電力を電子装置４へ伝送させるために用いられ、電子装置４に対してワイヤレス充電を行う。
【００２４】
ワイヤレス充電伝送装置３では、放熱板３１は回路基板３０上に設けられ、放熱板３１は本体３１１と複数の延伸部３１２を含み、この本体３１１は回路基板３０上に設けられ、複数の延伸部３１２は本体３１１から延長形成され、複数の延伸部３１２の一部は回路基板３０の外に伸び出す。電源コード３４の第１端３４１は回路基板３０に接続され、電源コード３４は封止層３３を貫通し、電源コード３４の第２端（図中では未表示）が電源（図中では未表示）に接続されるようにし、電源からくる電流を伝送させるために用いられる。図３では、電源コード３４は封止層３３を貫通すると共に封止層３３の下層３３１に垂直である。閉鎖式伝送コイル３２は放熱板３１上に設けられると共に回路基板３０に接続され、回路基板３０を通過する前記電流に応じて電磁効果を発生させ、電磁効果に応じて発生する電力を電子装置４の閉鎖式受信コイル４１に伝送させる。本好ましい実施形態では、本体３１１と複数の延伸部３１２は放熱板３１と一体形成され、閉鎖式伝送コイル３２のワイヤーラップ方式は円形であり、電子装置４は携帯電話であり、閉鎖式受信コイル４１のワイヤーラップ方式は円形である。
【００２５】
封止層３３は回路基板３０、放熱板３１及び閉鎖式伝送コイル３２を緊密に被覆すると共に直方体を形成し、ここでは放熱板３１の一部は封止層３３の外に露呈し、つまり、放熱板３１の複数の延伸部３１２の一部は封止層３３から伸び出し、複数の延伸部３１２の先端表面３１２１は封止層３３の側表面３３２の外に露呈し、図３に示すとおりである。本好ましい実施形態では、封止層３３は熱硬化性樹脂（Thermosetting  Resin）によって製造される。放熱板３１は閉鎖式伝送コイル３２と回路基板３０の間に設けられるため、この放熱板３１の本体３１１は閉鎖式伝送コイル３２の作動、回路基板３０の作動及び回路基板３０上の電子部材（図中では未表示）の作動によって発生される熱エネルギーを吸収でき、一部が封止層３３の外に露呈される複数の延伸部３１２によって熱エネルギーを封止層３３の外に解放させる。
【００２６】
図３上の電子装置４では、電子装置ケース４０は閉鎖式受信コイル３２を収納するために用いられ、電子装置ケース４０が封止層３３に近づくときや封止層３３と接触するとき、電子装置ケース４０内に位置する閉鎖式受信コイル４１は閉鎖式伝送コイル３２からくる前記電力を受信する。また、充電電池は電子装置ケース４０内に設けられると共に閉鎖式受信コイル４１に接続され、閉鎖式受信コイル４１からくる前記電力を保存するために用いられ、前記電力を電子装置４に提供する。
［第２実施形態］
次は、本発明のワイヤレス充電伝送装置の第２実施形態について説明する。
【００２７】
図５Ａ〜図５Ｃは本発明のワイヤレス充電伝送装置を好ましい実施形態において組み立てる過程を示す構造概略図である。まず、閉鎖式伝送コイル３２を放熱板３１上に設けると共に粘着剤３５によって放熱板３１上に設け、図５Ａに示すとおりである。次に、閉鎖式伝送コイル３２の放熱板３１を回路基板３０上に固定設置し、放熱板３１は別の粘着剤（図中では未表示）によって回路基板３０上に設けられ、図５Ｂに示すとおりである。放熱板３１と回路基板３０が結合された後、電線（図中では未表示）によって閉鎖式伝送コイル３２と回路基板３０に接続され、閉鎖式伝送コイル３２と回路基板３０の間の電気的接続が確立される。同時に、閉鎖式伝送コイル３２と回路基板３０はどれも構造が比較的強い放熱板３１上に固定され、構造が比較的脆弱な閉鎖式伝送コイル３２と回路基板３０は放熱板３１の本体３１１によって支持され、ワイヤレス充電伝送装置３内部の構造強度が強化される。
【００２８】
最後に、閉鎖式伝送コイル３２、放熱板３１及び回路基板３０の外には熱を受けて軟化する液状の熱硬化性樹脂を満たし、熱硬化性樹脂が冷却され凝固するのを待ち、これが直方体外観の封止層３３を形成するようにさせ、放熱板３１の複数の延伸部３１２の構造により、封止層３３が複数の延伸部３１２を被覆せず、複数の延伸部３１２の先端表面３１２１が封止層３３の側表面３３２に露呈するようにさせ、図５Ｃに示すとおりであり、ここでは内部部材を表示させるため、封止層３３は点線で表示されている。
【００２９】
ちなみに、満たされる熱硬化性樹脂は液状であるため、この熱硬化性樹脂は閉鎖式伝送コイル３２、放熱板３１及び回路基板３０の間の隙間を満たす。熱硬化性樹脂が冷却され凝固し、閉鎖式伝送コイル３２、放熱板３１及び回路基板３０を被覆する封止層３３を形成するとき、閉鎖式伝送コイル３２、放熱板３１及び回路基板３０の間の隙間はどれも熱硬化性樹脂によって満たされるため、外から来る液体とほこりは封止層３３内に入ることができず、ワイヤレス充電伝送装置３は防水と防塵の機能を有する。これ以外に、同様の理由に基づき、封止層３３中で閉鎖式伝送コイル３２、放熱板３１及び回路基板３０の外の空間がどれも熱硬化性樹脂によって満たされる以外に、ワイヤレス充電伝送装置３は防振の機能を有する。
【００３０】
上述の部材以外に、ワイヤレス充電伝送装置３はさらに固定構造３６を含む。図６を参照すると、これは本発明のワイヤレス充電伝送装置と固定構造の好ましい実施形態に係わる外観構造概略図である。固定構造３６は収納溝３６１を有し、収納溝３６１は封止層３３をその中に収納するために用いられると共に開穴部３６１１を有し、前記収納溝３６１の底部に設けられる。封止層３３が収納溝３６１内に収納されるとき、封止層３３の側表面３３２と収納溝３６１の内表面３６１２は接触し、封止層３３は収納溝３６１内に固定され、ワイヤレス充電伝送装置３の電源コード３４はその開穴部３６１１を貫通し、電源と接続される。本好ましい実施形態では、固定構造３６は自動車内の操作プラットフォームであり、収納溝３６１は前記操作プラットフォーム上の凹部である。その他の好ましい実施形態では、固定構造はその他構造を採用してもよく、例えば、卓上に適した固定フレームである。
【００３１】
図７は本発明のワイヤレス充電伝送装置と固定構造の別の好ましい実施形態に係わる外観構造概略図である。ワイヤレス充電伝送装置５は上述の好ましい実施形態と同様に回路基板（図中では未表示）、放熱板５１、閉鎖式伝送コイル（図中では未表示）、封止層５３及び電源コード５４を含み、回路基板、放熱板５１、閉鎖式伝送コイル及び封止層５３の構造と機能は上述の好ましい実施形態とほぼ相同であるため、無駄な記載を省略する。本好ましい実施形態のワイヤレス充電伝送装置５と上述の好ましい実施形態のワイヤレス充電伝送装置３の異なる点は、電源コード５４は封止層５３を貫通すると共に封止層５３の側表面５３１に垂直であり、図７に示すとおりである。電源コード５４は封止層５３の側表面５３１を貫通するので、ワイヤレス充電伝送装置５は直接卓上やその他平面上に置くことができる。
【００３２】
一方、電子装置６は電子装置ケース６０、保護カバー６１及び充電電池（図中では未表示）を含む。保護カバー６１は電子装置ケース６０に被せられ、これは電子装置ケース６０を保護するために用いられ、保護カバー６１は閉鎖式受信コイル６１１と伝送インターフェース６１２を有し、閉鎖式受信コイル６１１は保護カバー６１内に設けられ、電子装置ケース６０内に設けられるわけではなく、伝送インターフェース６１２は電子装置ケース６０に接続し、保護カバー６１と電子装置６の間の電気的接続を確立させるために用いられる。これからわかるように、保護カバー６１内に位置する閉鎖式受信コイル６１１はその伝送インターフェース６１２によって電子装置ケース６０内に位置する充電電池に接続される。本好ましい実施形態では伝送インターフェース６１２はＵＳＢ（Universal  Series  Bus）インターフェースであり、その他の好ましい実施形態では、伝送インターフェースはミニＵＳＢ（Mini  Universal  Series  Bus）インターフェースやその他インターフェースを採用してもよい。特に説明すべき点は、保護カバー６１は軟性材料か可撓性材料によって製造され、保護カバー６１を湾曲させることを容易にし、伝送インターフェース６１２と電子装置ケース６０を接続させる。本好ましい実施形態あのワイヤレス充電伝送装置５の作動状況と上述の好ましい実施形態のワイヤレス充電伝送装置３はほぼ相同であるため、無駄な説明を省略する。
【００３３】
上述の２つの好ましい実施形態からわかるように、本発明のワイヤレス充電伝送装置は封止層をワイヤレス充電伝送装置の外ケースとして採用しており、封止層はその内部部材を緊密に被覆し、外から来る液体とほこりはその中に入ることができないため、本発明のワイヤレス充電伝送装置は防水と防塵機能を有する。同時に、本発明のワイヤレス充電伝送装置は防振機能も有する。一方、その放熱板部分は封止層から伸び出し、一部は封止層の外に露呈されるため、本発明のワイヤレス充電伝送装置は比較的好ましい放熱効果を有する。これ以外に、ワイヤレス充電伝送装置は封止層を採用し、周知のプラスチックケースではないため、その組み立て過程で材料コストと組み立ての人件費を減らすことができる。
【００３４】
以上、本発明の実施形態について図面を参照して詳述したが、具体的な構成はこの実施形態に限られるものではなく、本発明の要旨を逸脱しない範囲の設計変更等も含まれる。
【符号の説明】
【００３５】
１、３、５  ワイヤレス充電伝送装置
２、４、６  電子装置
１０  ケース
１１、３４、５４  電源コード
１２、３０  回路基板
１３、３２  閉鎖式伝送コイル
２０、４０、６０  電子装置ケース
２１、４１、６１１  閉鎖式受信コイル
３１、５１  放熱板
３３、５３  封止層
３５  粘着剤
３６  固定構造
６１  保護カバー
１０１  上蓋
１０２  台座
３１１  本体
３１２  延伸部
３３１  封止層の下層
３３２、５３１  封止層の側表面
３４１  電源コードの第１端
３６１  収納溝
６１２  伝送インターフェース
３１２１  延伸部の先端表面
３６１１  開穴部
３６１２  収納溝の内表面
【図１】
0005544405.tif 000002
【図２】
0005544405.tif 000003
【図３】
0005544405.tif 000004
【図４】
0005544405.tif 000005
【図５Ａ】
0005544405.tif 000006
【図５Ｂ】
0005544405.tif 000007
【図５Ｃ】
0005544405.tif 000008
【図６】
0005544405.tif 000009
【図７】
0005544405.tif 000010